(57)【特許請求の範囲】
【請求項１】
腰掛けた状態において両足の太股、膝、及び脛に当接し得る脚当て部材と、該脚当て部材に取り付けられて大腿及び下腿の各々を緊締して前記脚当て部材を両脚に保持させるための緊締部材と、を有し、前記脚当て部材は、太股当接部、膝当接部、及び脛当接部が一体的に形成されてなり、且つ、前記太股当接部に対して前記脛当接部が８０〜１００°の角度で曲折させて形成されていることを特徴とする健康増進用脚部保持具。
【請求項２】
腰掛けた状態において両足の太股、膝、及び脛に当接し得る脚当て部材と、該脚当て部材に取り付けられて大腿及び下腿の各々を緊締して前記脚当て部材を両脚に保持させるための緊締部材と、を有し、前記脚当て部材は、太股当接部、膝当接部、及び脛当接部を連結してなり、前記膝当接部を中心として、前記太股当接部に対して脛当接部が回動自在に設けられていることを特徴とする健康増進用脚部保持具。
【請求項３】
前記脚当て部材は両足の各々に取り付け得るように第１脚当て部材と第２脚当て部材とからなり、前記第１脚当て部材及び第２脚当て部材の各々の内股側に相当する部位に相係合し得る係合部材を設けたことを特徴とする請求項１又は２に記載の健康増進用脚部保持具。
【請求項４】
前記係合部材は、互いに噛合し得る凹凸部材であることを特徴とする請求項３記載の健康増進用脚部保持具。
【請求項５】
前記凹凸部材は、その凹凸が、前記太股当接部端縁から前記膝当接部への方向に沿って連続して延在していることを特徴とする請求項４記載の健康増進用脚部保持具。
【請求項６】
前記係合部材が、面ファスナーであることを特徴とする請求項３記載の健康増進用脚部保持具。
【発明の詳細な説明】
【０００１】
【発明の属する技術分野】
本発明は、身体に装着し、健康増進に資することのできる健康増進用脚部保持具に関する。
【０００２】
【従来の技術】
従来より、身体の健康増進の運動として、上半身に捻りを加える運動が知られており、その捻り運動を補助するための装置として、背もたれ部分が回動可能に設けられている装置（例えば、実開昭５８−４６３５３号公報、特公平１−３１３９２号公報）等が種々提案されている。
【０００３】
【発明が解決しようとする課題】
しかしながら、従来の装置は、捻り効果が十分に得られていなかった。その原因について、本発明者が鋭意研究した結果、上半身の捻りを加える際に、下半身の固定が不十分であるために、上半身の捻りに伴って捻りが加えられていることが原因であることを突きとめた。
【０００４】
そこで、本発明は、上半身の捻り運動を有効に行い得るようにする健康増進用脚部保持具を提供することを目的とする。
【０００５】
【課題を解決するための手段】
本発明の上記目的は、腰掛けた状態において両足の太股、膝、及び脛に当接し得る脚当て部材と、該脚当て部材に取り付けられて大腿及び下腿の各々を緊締して前記脚当て部材を両脚に保持させるための緊締部材と、を有し、前記脚当て部材は、太股当接部、膝当接部、及び脛当接部が一体的に形成されてなり、且つ、前記太股当接部に対して前記脛当接部が８０〜１００°の角度で曲折させて形成されていることを特徴とする健康増進用脚部保持具によって達成される。
【０００６】
また、本発明の上記目的は、腰掛けた状態において両足の太股、膝、及び脛に当接し得る脚当て部材と、該脚当て部材に取り付けられて大腿及び下腿の各々を緊締して前記脚当て部材を両脚に保持させるための緊締部材と、を有し、前記脚当て部材は、太股当接部、膝当接部、及び脛当接部を連結してなり、前記膝当接部を中心として、前記太股当接部に対して脛当接部が回動自在に設けられていることを特徴とする健康増進用脚部保持具によって達成される。
【０００７】
前記脚当て部材は両足の各々に取り付け得るように第１脚当て部材と第２脚当て部材とから構成し、前記第１脚当て部材及び第２脚当て部材の各々の内股側に相当する部位に相係合し得る係合部材を設けても良い。
【０００８】
前記係合部材は、互いに噛合し得る凹凸部材とすることができる。
【０００９】
前記凹凸部材は、その凹凸が、前記太股当接部端縁から前記膝当接部への方向に沿って連続して延在していることが好ましい。
【００１０】
前記係合部材が、面ファスナーとしても良い。
【００１１】
【発明の実施の形態】
本発明の好ましい実施形態について以下に図面を参照して説明する。尚、全図を通し、同様の構成部分には同符号を付した。
【００１２】
図１は、本願発明に係る下腿保持具の第１実施形態を示す斜視図であり、図２はその使用状態を示す斜視図である。
【００１３】
図１に示すように、脚部保持具１は、脚当て部材２と、該脚当て部材２に接続された緊締部材３とを有している。脚当て部材２は、太股当接部２ａ、膝当接部２ｂ、及び脛当接部２ｃからなり、これらを一体的に形成することができる。脚当て部材２は、人が椅子に腰掛けたした際に、両脚の太股、膝、及び脛が当接するように、太股当接部２ａに対して脛当接部２ｃを所定の角度（例えば、８０°〜１００°）をもって曲折させて形成している。脚部保持具１は、両サイドにサイドカバー２ｄを一体的に形成することができる。
【００１４】
緊締部材３は、公知態様による緊締バンド構造を採用することができ、例えば、バンド３ａの一端を脚当て部材２に固定し、他端に一方のベルクロファスナ３ｂを取り付け、脚当て部材２の対応する部位に他方のベルクロファスナ３ｃを設けて緊締のための着脱を容易にすることができる。
【００１５】
上記のような脚部保持具１の使用方法について図２を参照しつつ説明する。
【００１６】
先ず、椅子に腰掛けて、脚部保持具１を太股の上に載せ、膝及び脛に膝当接部２ｂ及び脛当接部２ｃを当接させて、緊締部材３により脚にしっかりと緊締し、脚部保持具１を脚に固定する。
【００１７】
こうして脚部保持具１により下半身を固定しておいて、上半身に回転による捻りを加えても、下半身（特に腰部）に上半身の回転に伴われた捻りが生じることがない。つまり、図２に示すように、上半身に右側へ回転する捻りを加えると、それに伴って左側の脚は前に出ようとする（即ち、左足の膝が右足の膝よりも前に出ようとする。）傾向が生じるが、脚部保持具１は、そのような下半身の傾向を阻止し、容易に上半身のみの捻りを行わせることを可能とする。
【００１８】
このことは、上半身の回転による捻り運動をした際に、その捻り運動が下半身にも伝わり、無意識のうちに上半身の捻りを下半身においても吸収しようとする身体の機能を意図的に阻止していることになる。それによって、上半身の捻りに伴う下半身の捻りにより吸収されていた捻り運動量を上半身のみに加えることができるので、捻り運動の効果が増加するだけでなく、下半身の運動により上半身の捻り運動を吸収されていたために鍛えることのできなかった或いはストレッチング（筋肉と関節の伸張運動）することのできなかった上半身の筋肉・関節を鍛え或いはストレッチングすることができるようになる。そのため、本発明者も経験しているが、従来達成できなかった想像以上のリハビリ効果をも発揮させることができる。そして、従来の捻り運動の範囲を越える捻りが実現できるので、腰痛等を自然に回復させたり、ぎっくり腰を予防する等の効果がある。
【００１９】
尚、図示の例では、上半身を意識的に回転させるため、腰掛ける椅子は背もたれの無い椅子を例示しているが、背もたれがあっても良い。背もたれがある椅子やソファーの場合は、本脚部保持具１を脚に取り付けて、上半身を捻った状態で仮眠状態又は睡眠状態に入ることにより、寝ている間に上記のストレッチングが行われる。このように寝ている間にストレッチングを行うことは、無意識によるストレッチングであることから、筋肉に余分な力が入ることなくストレッチングが実行されるため効果が大きい。更に、本脚部保持具１は、構造が簡単で持ち運びにも便利であるから、例えば、長距離トラックの運転手等が、本脚保持具１を持ち運び、仮眠時等に装着しておけば、寝ている間に、ストレッチングが行われ、腰痛の予防も可能である。
【００２０】
図３は、上記第１実施形態の変更態様である第２実施形態を示す斜視図であり、膝当接部２ｂを中心として、太股当接部２ａに対して脛当接部２ｃが回動自在に設けられている点が、上記第１実施形態と異なり、その他の点は、上記第１実施形態と同様である。図示の例では、太股当接部２ａと膝当接部２ｂとは、一体的に形成され、膝当接部２ｂの両側部に回動ピン５を固定し、該回動ピン５に脛当接部２ｃが回動自在に枢着されている。
【００２１】
上記第２実施形態は、下腿の前後方向への回動運動が可能であるため、椅子の高さ等に応じて、下腿の曲げ角度を自由に調節し、安定した状態で腰掛けることを可能にするものである。
【００２２】
次に、本発明に係る健康増進用脚部保持具の第３実施形態について図４及び図５を参照して説明する。図４は、第３実施形態の脚部保持具を示す斜視図、図５は、その使用状態を示す斜視図である。
【００２３】
図４に示すように、第３実施形態の脚部保持具１は、脚当て部材２が両足の各々に取り付け得るように第１脚当て部材２’と第２脚当て部材２”とに分割されており、第１脚当て部材２及び第２脚当て部材２の各々のサイドカバー２ｄの内股側に相当する部位に相係合し得る係合部材６を設けた点が、上記第１実施形態の脚部保持具と異なる。
【００２４】
係合部材６は、互いに噛合し得る凹凸部材６ａによって形成することができる。凹凸部材６ａは、その凹凸が、図示のように、太股当接部２ａの端縁から膝当接部２ｂへの方向に沿って連続して延在していることが望ましい。
【００２５】
上記構成を有する第３実施形態の脚部保持具１は、図４に示すように、両脚に各々、第１脚当て部材２’及び第２脚当て部材２”を載せ、両脚を閉じて係合部材６を構成する凹凸部材６ａを噛み合わせる。
【００２６】
このとき両膝が揃うように凹凸部材６ａを噛み合わせることが好ましい。その状態で、緊締部材３により両脚を緊締する。このように両膝が揃うように凹凸部材６ａを噛み合わせる理由は、人によって左右の寸法等、例えば左右の脚の長さ等が、若干異なる場合があるが、上記第１実施形態において説明したようにこの脚部保持具１を使用することにより、左右の身体のずれをも矯正することができるのである。従って、凹凸部材６ａの凹凸を連続して延在させる場合は、少なくとも左右の身体のずれに対応した長さだけ延在させることが必要となる。
【００２７】
また、凹凸部材６ａの噛み合わせ、上記のように両膝を揃えるのではなくて、上半身の回転する方向と反対側の脚をやや後退させた位置で噛み合わせても良い。つまり、図５の状態で説明すれば、左脚をやや後退させた状態（即ち、右脚をやや前に出した状態）で、噛み合わせ、緊締部材３により緊締しても良い。この状態で上半身に回転による捻りを加えれば、両膝が揃っている場合よりも大きな捻りが上半身に加えられることとなり、捻り効果が増大する。
【００２８】
尚、図示しないが、第１脚当て部材２及び第２脚当て部材２は、上記第２実施形態と同様に、膝当接部２ｂを中心として、太股当接部２ａに対して脛当接部２ｃが回動自在に設けても良い。また、係合部材６は、凹凸部材６に代えて、面ファスナーとしても良い（図示せず）。
【００２９】
【発明の効果】
以上の説明から明らかなように、本発明に係る健康増進用脚部保持具によれば、簡易な器具によって、上半身の捻り運動を有効に行うことができ、ストレッチ、リハビリに画期的な効果を奏することができる。
【図面の簡単な説明】
【図１】本発明に係る健康増進用脚部保持具の第１実施形態を示す斜視図である。
【図２】図１の脚部保持具の使用状態を示す斜視図である。
【図３】本発明に係る健康増進用脚部保持具の第２実施形態を示す斜視図である。
【図４】本発明に係る健康増進用脚部保持具の第３実施形態を示し、（ａ）は斜視図、（ｂ）は平面図である。
【図５】図４の脚部保持具の使用状態を示す斜視図である。
【符号の説明】
１  脚部保持具
２  脚当て部材
２’  第１脚当て部材
２”  第２脚当て部材
３  緊締部材
６  係合部材
６ａ  凹凸部材
【図１】
0003911686.tif 000002
【図２】
0003911686.tif 000003
【図３】
0003911686.tif 000004
【図４】
0003911686.tif 000005
【図５】
0003911686.tif 000006